(57)【特許請求の範囲】
【請求項１】
無水ケイ酸を１．０wt%〜１０．０wt%含有した粘性化粧料を、筒状の収納部に収納し、この収納部の先端壁の外側に塗布面を設け、この塗布面に、形成軸を塗布面に対して傾斜するよう形成した粘性化粧料の分配口を複数個配置し、この分配口の収納部側の開口部を先端壁の中心寄りに配置するとともに、この収納部側の開口部よりも外方寄りに分配口の塗布面側の開口部を配置することにより、上記分配口を収納部側から塗布面側に放射状に開口し、収納部内に収納した粘性化粧料を押圧して粘性化粧料を分配口から外方に押し出した際に、粘性化粧料を塗布面の中心から外方向に放射状に流出可能とする中皿を収納部内に装着した粘性化粧品。
【請求項２】
無水ケイ酸は、一次粒子の平均径が５．０〜３０ｎｍであることを特徴とする請求項１の粘性化粧品。
【請求項３】
無水ケイ酸は、シリル化処理したものであることを特徴とする請求項１の粘性化粧品。
【請求項４】
粘性化粧料は、２５℃におけるレオメーター測定値で硬度が５〜３０（レオメーター11.3φ25℃、不動工業（株）製）であることを特徴とする請求項１の粘性化粧品。
【発明の詳細な説明】
【技術分野】
【０００１】
本発明は、無水ケイ酸を含有した粘性化粧料を収納する収納部、及びこの粘性化粧料を塗布するための塗布面を設けた粘性化粧品に関するものである。
【背景技術】
【０００２】
従来より、特許文献１及び２に示す如く、唇等の被塗布部に塗布した際に、経時安定性を確保したり、着色、メーキャップ効果、感触調整効果などを高めるため、無水ケイ酸を含有するとともに、固形の棒状に成形した化粧料が存在する。
【０００３】
しかしながら、棒状の化粧料は、容器内での保存時に床下に落下するなどの衝撃が加えられた場合に、破損し易いという欠点があった。また、被塗布部への塗布時のみならず、容器内での保存時でも、化粧料の表面が常時空気にさらされているため、空気に接触している表面が劣化したり、外気温の上昇により化粧料が軟化し、塗布時に折れ曲がる等の変形を生じるなどして化粧料を被塗布部に円滑に塗布することが困難となる場合もあった。
【０００４】
また、この欠点を除去するため、固形の棒状に形成した化粧料を用いずに特許文献３に示す如き容器を用いて、筒状の収納部内に無水ケイ酸を含有した粘性化粧料を収納し、この粘性化粧料を、蓋体と一体に設けた塗布具により被塗布部に塗布する方法が存在する。しかしながらこの方法では、使用後収納部に蓋体を取り付けた際に、上記塗布具が収納部内に配置されることとなるため、使用後の塗布具が収納部内の粘性化粧料と接触し、収納部内の粘性化粧料が汚染されやすく不衛生なものとなっていた。
【特許文献１】特開２００２−２８４６４５号公報
【特許文献２】特開２００２−１２８６４０号公報
【特許文献３】特開平８−３１７８１８号公報
【発明の開示】
【発明が解決しようとする課題】
【０００５】
そこで、本発明は上述の如き課題を解決しようとするものであって、筒状の収納部内に無水ケイ酸を含有した粘性化粧料を収納するとともに、この収納部内に配置した中皿によって当該粘性化粧料を収納部の先端に形成した分配口から外方に吐出可能とすることにより、被塗布部への粘性化粧料の塗布を円滑なものとするとともに、保存時にも劣化や汚染などの不都合を生じることなく、収納部内での粘性化粧料の保存状態を良好なものにしようとするものである。
【０００６】
また、高温下での保管を行っても液だれによる粘性化粧料の漏れの心配がなく、清潔で快適な使用性を持続させることを可能とするとともに、被塗布部に粘性化粧料を塗布した際に、軽く滑らかな塗り心地を得ることができ、唇などに均一に塗布することが可能で、塗布部におけるにじみの少ない良好な仕上がりを得ることを可能にしようとするものである。
【課題を解決するための手段】
【０００７】
本発明は、上述の如き課題を解決するため、無水ケイ酸を１．０wt%〜１０．０wt%含有した粘性化粧料を、筒状の収納部に収納し、この収納部の先端壁の外側に塗布面を設け、この塗布面に、形成軸を塗布面に対して傾斜するよう形成した粘性化粧料の分配口を複数個配置し、この分配口の収納部側の開口部を先端壁の中心寄りに配置するとともに、この収納部側の開口部よりも外方寄りに分配口の塗布面側の開口部を配置することにより、上記分配口を収納部側から塗布面側に放射状に開口し、収納部内に収納した粘性化粧料を押圧して粘性化粧料を分配口から外方に押し出した際に、粘性化粧料を塗布面の中心から外方向に放射状に流出可能とする中皿を収納部内に装着したものである。
【０００８】
また、無水ケイ酸は、一次粒子の平均径が５．０〜３０ｎｍとしてもよい。
【０００９】
また、無水ケイ酸は、シリル化処理したものであってもよい。
【００１０】
また、粘性化粧料は、２５℃におけるレオメーター測定値で硬度が５〜３０（レオメーター11.3φ25℃、不動工業（株）製）であってもよい。
【発明の効果】
【００１１】
本発明は筒状の収納部内に無水ケイ酸を１．０wt%〜１０．０wt%含有した粘性化粧料を収納するとともに、この収納部内に配置した中皿によって当該粘性化粧料を収納部の先端に形成した分配口から外方に吐出可能とすることにより、被塗布部への粘性化粧料の塗布を円滑に行うことができるとともに、保存時にも劣化や汚染などの不都合を生じることなく、粘性化粧料を良好な状態に保つことを可能とするものである。
【００１２】
また、高温下での保管を行っても、粘性化粧料に無水ケイ酸を１．０wt%〜１０．０wt%含有させることにより、液だれによる粘性化粧料の漏れの心配がなく、清潔で快適な使用性を持続させることを可能とするとともに、被塗布部に粘性化粧料を塗布した際に、軽く滑らかな塗り心地を得ることができ、唇などに均一に塗布することが可能で、塗布部におけるにじみの少ない良好な仕上がりを得ることを可能にしようとするものである。
【図面の簡単な説明】
【００１３】
【図１】本発明の実施例１を示す粘性化粧品の断面図。
【図２】本発明の実施例１を示す粘性化粧料の吐出完了時の断面図。
【図３】実施例１の収納部の一部拡大斜視図。
【図４】図３のＡ−Ａ線断面図(ａ)及び正面図(ｂ)。
【図５】本発明の実施例２を示す粘性化粧料容器の断面図。
【図６】図５の先端壁部分の拡大斜視断面図(ａ)及び分配口から粘性化粧料を吐出した状態を示す平面図(ｂ)。
【図７】本発明の実施例３を示す収納部の一部拡大斜視図。
【図８】本発明の実施例４を示す収納部と中皿との拡大断面図(ａ)及びそのＢ−Ｂ線断面図(ｂ)。
【符号の説明】
【００１４】
２  収納部
３  粘性化粧料
４  先端壁
５  塗布面
６  中皿
９  分配口
２４  開口部
【実施例１】
【００１５】
本発明の実施例１を図１に於いて説明すれば、(１)は粘性化粧料用容器であって、この粘性化粧料用容器(１)に設けた収納部(２)内に以下に詳述する粘性化粧料(３)を収納することにより、本発明の粘性化粧品を得ることができる。そして、収納部(２)は、先端から基端までの内周径を均一に形成しており、先端には収納部(２)の軸方向に対して交差するよう傾斜するとともに、楕円平面状に形成した先端壁(４)を設けている。そのため、粘性化粧料用容器(１)を、先端壁(４)側を上方に向けて支持することにより、容易に塗布面(５)全体を塗布目的である被塗布面に当接させることが可能となる。
【００１６】
従って、塗布面(５)全体が被塗布面に密着するよう、使用者が粘性化粧料用容器(１)の支持角度をわざわざ調節する必要がなく、使用目的に応じて、使用者に過度な負担をかけずに容易かつ円滑に粘性化粧料(３)を被塗布面に塗布することが可能となる。またこの先端壁(４)には、直径１mmの分配口(９)を形成しており、収納部(２)内に収納した粘性化粧料(３)をこの分配口(９)から外方に吐出可能なものとしている。また、各分配口(９)の図２、３に示す如く形成軸を塗布面(５)の軸方向に対して傾斜させるだけでなく、図４に示す如く、収納部(２)の軸方向に対しても形成軸を傾斜させて分配口(９)を形成している。更に、分配口(９)を先端壁(４)に３箇所設けるとともに、収納部(２)側の開口部(２４)を先端壁(４)の中心寄りに配置し、この収納部(２)側の開口部(２４)よりも外方寄りに、塗布面(５)側の開口部(２４)を配置して形成することにより、３つの分配口(９)を、収納部(２)側から塗布面(５)側に、放射状に開口させている。
【００１７】
また、図１に示す如く、収納部(２)内には、粘性化粧料(３)を先端壁(４)方向に押圧するための中皿(６)を配置している。そして、図２に示す如く、中皿(６)を円柱状に形成するとともに、中皿(６)の先端形状が、収納部(２)の先端壁(４)の内面の形状に対応するよう、中皿(６)の先端壁(４)側の上面(１０)を、先端壁(４)の傾斜角度と同様の傾斜角度に傾斜させることにより、上面(１０)を先端壁(４)の内面に当接可能なものとしている。
【００１８】
また、本実施例では図２に示す如く、中皿(６)の側面軸方向にキー溝(７)を１箇所形成するとともに、収納部(２)の内周面にこのキー溝(７)と嵌合可能な嵌合片(８)を軸方向に突設している。そして、このキー溝(７)を、嵌合片(８)に嵌合させて中皿(６)を収納部(２)内に組み付けることにより、中皿(６)は、収納部(２)内で円周方向に回動せずに、軸方向にのみ摺動することが可能となる。
【００１９】
そのため、製造時に予め中皿(６)の先端形状が先端壁(４)の内面形状に対応する位置にキー溝(７)と嵌合片(８)を中皿(６)及び収納部(２)にそれぞれ形成配置することにより、中皿(６)の上面(１０)を先端壁(４)の内面(２３)に当接可能なものとしている。
【００２０】
上記の如く粘性化粧料用容器(１)を形成することにより、使用時に於いて、中皿(６)を粘性化粧料(３)を押圧しながら先端方向に移動させ、図２に示す如く、最終的に中皿(６)の上面(１０)を先端壁(４)の内面(２３)に当接させることにより、収納部(２)内に収納した粘性化粧料(３)の全量を、分配口(９)から外部に吐出させることが可能となる。従って、収納部(２)内に収納した粘性化粧料(３)を全量使い切ることができるため、経済的な使用が可能となる。
【００２１】
尚、実施例２では軸方向に傾斜させて形成した先端壁(４)の内面(２３)と中皿(６)の上面(１０)との確実な当接を可能とするため、中皿(６)に設けたキー溝(７)と収納部(２)の内周面に突設した嵌合片(８)との嵌合により、中皿(６)の円周方向への回動を抑制していた。しかし、他の異なる実施例として、キー溝(７)や嵌合片(８)等を設けずに、中皿(６)を円周方向に回動可能に形成しても良い。
【００２２】
その場合、粘性化粧料(３)の使用の最終段階では、中皿(６)の上面(１０)と先端壁(４)の内面(２３)とが位置ズレを生じていた場合は、中皿(６)が先端壁(４)の中途に突き当たって移動が阻止される。しかし、回動体(１７)を強く回動させることにより、中皿(６)が円周方向に回動しながら先端方向に移動し、中皿(６)の位置修正が徐々に行われ、最終的に中皿(６)の上面(１０)と先端壁(４)の内面(２３)とを当接させて、粘性化粧料(３)を無駄なく使い切ることができる。また、このようにキー溝(７)や嵌合片(８)を設けないことにより、収納部(２)と中皿(６)との間の気密性を高めることができるとともに、製造が容易となり、製造コストを低く抑えることが可能となる。
【００２３】
また、中皿(６)の先端壁(４)側の上面(１０)とは反対側の底面(１１)には、外周螺溝を形成した繰出棒(１２)を基端部方向に接続している。この繰出棒(１２)は、中皿(６)側の一端に嵌合突部(１３)を突出形成しており、この嵌合突部(１３)を中皿(６)の底面(１１)中央に形成した嵌合受部(１４)に嵌合させることにより、中皿(６)に対して回動可能に接続している。また、繰出棒(１２)は、中皿(６)に接続して収納部(２)内に組み付けた際に、中皿(６)が先端壁(４)まで移動可能となる形成長さを有している。
【００２４】
また、収納部(２)内の基端部側には、繰出棒(１２)を先端方向に送り出すための送出環(１５)を、軸方向に垂直に設けている。この送出環(１５)は、収納部(２)の内周面に移動不能に固定されており、中央に貫通口(１６)を開口している。そして、この貫通口(１６)の内周面には、繰出棒(１２)の外周螺溝と螺合可能な内周螺溝を形成し、繰出棒(１２)は、この内周螺溝に外周螺溝を螺合させた状態で、収納部(２)内に組み付けられている。
【００２５】
また、図１に示す如く、収納部(２)の基端には、収納部(２)とは別体に回動体(１７)を設けている。そして、この回動体(１７)の収納部(２)側の外周面に、係合突部(１８)を突出形成しており、この係合突部(１８)を、収納部(２)の基端部側の内周面に形成した環状の係合受部(２０)に係合することにより、回動体(１７)を収納部(２)に定位置で回動可能に接続している。
【００２６】
また、回動体(１７)の内周面には、係合片(２１)を軸方向に突設している。そして、繰出棒(１２)の外周面に、この係合片(２１)と係合可能な係合凹溝(２２)を軸方向に形成し、係合片(２１)に係合凹溝(２２)を係合することにより、繰出棒(１２)が、回動体(１７)の回動時に回動体(１７)と一体となって回動するよう構成している。また、係合片(２１)と係合凹溝(２２)との間に間隙を設けることにより、繰出棒(１２)は、回動体(１７)に対して軸方向に摺動自在となるよう組み付けられている。
【００２７】
また、収納部(２)は、不透明な材質にて形成し、収納部(２)内に収納した粘性化粧料(３)が外光の影響を受けないよう構成している。そのため、外光による粘性化粧料(３)の変質や劣化などの品質の低下を防ぐことができる。尚、本実施例及び以下の実施例では、粘性化粧料(３)としてリップグロスを使用している。また、塗布面(５)には、シート状に形成した密閉部材（図示せず）を剥離可能に止着し、分配口(９)を閉止している。
【００２８】
上記の如く構成したものに於いて、収納部(２)内に収納した粘性化粧料(３)の吐出方法について以下に示す。まず、上記密閉部材を塗布面(５)から剥離し、回動体(１７)を一方向に回動させることにより、回動体(１７)に係合した繰出棒(１２)が同一方向に回動する。この回動により、繰出棒(１２)は、外周螺溝と螺合している送出環(１５)の内周螺溝によって、先端方向に送り出される。この時繰出棒(１２)は、回動体(１７)とは独立して軸方向に摺動可能となるよう回動体(１７)に係合しているため、円滑に先端軸方向に移動する。そして、この繰出棒(１２)の移動に伴って、繰出棒(１２)の先端側の一端に設けた中皿(６)が先端方向に移動するため、収納部(２)内に収納された粘性化粧料(３)は中皿(６)によって先端壁(４)方向に押し出され、塗布面(５)の分配口(９)から外方に吐出する。そしてこのように分配口(９)から必要量の粘性化粧料(３)を吐出させることにより、この粘性化粧料(３)を唇等の被塗布部に塗布することが可能となる。
【００２９】
ここで、上記の如く構成した本実施例の粘性化粧料用容器(１)では、吐出の際に、粘性化粧料(３)が、分配口(９)の延長線方向に斜めに塗布面(５)に押し出される。更に、３箇所に配置した分配口(９)を介して、粘性化粧料(３)が中心から外方向に放射状に塗布面(５)に押し出されるものとなる。従って、塗布面(５)に広面積且つ均等に粘性化粧料(３)を付着させることができ、唇等の被塗布部に、粘性化粧料(３)を円滑且つ迅速に塗布することができるとともに、粘性化粧料(３)の塗布ムラ等を防止して、均一に塗布することができ、仕上がり感の良好な塗布が可能となる。
【００３０】
また、一つの分配口(９)での粘性化粧料(３)の吐出面積を広くすることができるから、分配口(９)の数を比較的少なくしても、塗布面(５)への広い面積の粘性化粧料(３)の吐出が可能となり、分配口(９)が与える被塗布部へのでこぼこ感や違和感を減少させ、使用者に快適な使用感を与えることができる。また、分配口(９)を少なくでき、分配口(９)を介して外気や細菌等が侵入しにくく、粘性化粧料(３)の酸化や劣化等を良好に防止することが可能となるとともに、未使用時の粘性化粧料(３)の外部への漏れも抑制可能となる。尚、分配口(９)の塗布面(５)側の開口部(２４)をＲに形成しても良く、開口面積を更に増大させることができるとともに、被塗布部への当たりも更にソフトなものとすることができる。
【００３１】
上記の如き粘性化粧品において、収納部(２)内に収納する粘性化粧料(３)の硬度が一般的に高すぎると、分配口(９)から吐出させにくくなるとともに、塗布抵抗が高くなって被塗布部に伸ばしにくく、また、使用中のうるおい感等も低いものとなる。逆に粘性化粧料(３)の硬度が低すぎると、使用時において、被塗布部に塗布した際に被塗布部にじみを生じたり、分配口(９)の粘性化粧料(３)の漏れ(液ダレ)を生じ易くなる。また、保存時において、外気温が上昇した場合には粘性化粧料(３)の粘度が低くなって液ダレを生じ易くなる。
【００３２】
これらの不都合は、粘性化粧料(３)に無水ケイ酸を１．０ｗｔ％〜１０．０ｗｔ％配合することにより解消することができる。そこで、以下この無水ケイ酸１．０ｗｔ％〜１０．０ｗｔ％を含有した粘性化粧料の配合例を配合例１〜４として示す。この配合例１〜４は前記構成の実施例１に適用しても良いし、実施例１の構成とは異なる構成の、例えば後述する実施例２〜４に示す化粧料用容器(１)に適用して粘性化粧品に用いるものであっても良い。尚、以下の配合例で使用する無水ケイ酸は、シリル化処理によって疎水性の性質を有するシリル化無水ケイ酸を使用しており、シリル化無水ケイ酸を配合した粘性化粧料(３)の処方例を、下記表１の配合１〜４に示す。
【００３３】
尚、配合例１及び２は、固化剤としてデキストリンパルミチン酸エステルを配合したものであり(以下、K系と言う)、配合例３は固化剤としてマイクロクリスタリンワックスを配合したものである(以下、W系と言う)。また、配合例４は、デキストリンパルミチン酸エステルとマイクロクリスタリンワックスの双方を配合したものである(以下併用系と言う)。また、表１ではシリル化無水ケイ酸を配合しない粘性化粧料(３)を比較例１、３、４、６とするとともに、シリル化無水ケイ酸を０．５％及び１２％配合した粘性化粧料(３)をそれぞれ比較例２、５としている。そして、配合例１、２に対応するＫ系の比較例は、比較例１、２であり、配合例３に対応するＷ系の比較例は、比較例３、４、５であり、配合例４に対応する併用系の比較例は、比較例６である。
【００３４】
また、配合例１〜４及び比較例１〜６では、粘性化粧料(３)に添加する油分として、脱臭ポリブテン、流動パラフィン、リンゴ酸ジイソステアリル、ヒマシ油を用いている。また、色材として赤色２０２号を使用するとともに、防腐剤としてジプロピレングリコール及びエチルパラベンを使用している。
【００３５】
そして、下記の表１には各配合例１〜４及び比較例１〜６の粘性化粧料(３)の硬度について、２５℃の雰囲気下にてレオメーター(不動工業株式会社製  NRM-3002D 直径１１．３mm、３mm針入)で測定した結果を示している。またその他に、フィット感、なめらかさ、にじみ評価、タイムラグ評価、５０℃安定性の結果についても示している。
【００３６】
そして、フィット感、なめらかさは、各粘性化粧料(３)を被験者の被塗布部に塗布した際の、被験者による官能評価であり、にじみ評価は、粘性化粧料(３)を被塗布部に塗布した際に、塗布した粘性化粧料(３)が塗布した領域からどれだけ外部に広がったかについての評価を示すものである。また、これらの評価は平均年齢２７歳の女性被験者５名により行ったものであり、各比較例及び配合例の粘性化粧料(３)を唇に塗布することにより得られたものである。
【００３７】
そして、表１に於いて、フィット感についてはフィット感が優れていると回答した人、なめらかさについてはなめらかさが優れていると回答した人、にじみ評価についてはにじみがないと回答した人の人数をそれぞれ分子に記載するとともに、分母には全被験者の人数を記載している。
【００３８】
また、タイムラグ評価は、各粘性化粧料(３)を、塗布面(５)に対して形成軸を直角に形成した直径１mmの６個の分配口(９)から吐出させ、その際に粘性化粧料(３)が瞬時に吐出したか否かを評価したものである。そして、確実に瞬時に吐出するものを◎、比較的瞬時に吐出するものを○、どちらとも言えないものを△、瞬時には吐出しないものを×として前記被験者が評価している。
【００３９】
また、５０℃安定性は、各粘性化粧料(３)を実施例１の粘性化粧料用容器(１)の収納部(２)内に充填し、この粘性化粧料容器(１)を横置きにして、５０℃の雰囲気下にて一昼夜放置した後の、分配口(９)からの粘性化粧料(３)の液ダレ状態を確認し、発明者がその評価を示したものである。そして、非常に安定しているものを◎、比較的安定しているものを○、どちらとも言えないものを△、安定していないものを×として評価している。
【００４０】
【表１】
0004726012.tif 000002
【００４１】
表１に示す実験結果より、まず、硬度とタイムラグ評価の結果から、比較例１〜６に於いて、比較例１、２、４〜６では硬度もそれほど高くなく、分配口(９)からの吐出もタイムラグを生じなかったが、比較例３は硬度が高く、しかも分配口(９)からの吐出もタイムラグが生じていた。これに対して、シリル化無水ケイ酸を含有した本発明の配合例１〜４では、硬度が低く分配口(９)からの吐出にもタイムラグを生じることなく、円滑な吐出が可能であった。従って、配合例１〜４の粘性化粧料(３)は、分配口(９)から塗布面(５)に吐出させ易く、また肉厚とならず塗布面(５)に広面積に押し出すことができる製品であることがわかった。
【００４２】
また、５０℃安定性については、比較例１〜３、４、６では、吐出後粘性が低下して液ダレを生じた。また、比較例５では、粘性化粧料の全成分中のシリル化無水ケイ酸の添加量が多くなるため、５０℃安定性に関しては良好であった。これに対して、配合例１〜４では、吐出後何れも液ダレを生じにくく、高温下でも粘度が低下せず優れた安定性を示した。
【００４３】
また、官能評価の結果については、シリル化無水ケイ酸を含有しない比較例１、３、４、６のうち、硬度の低い比較例１、４、６ではフィット感やなめらかさは良好であったが、硬度が低い分、にじみが目立った。また、比較例３では、硬度が高いため、粘性化粧料(３)の唇への塗り始めは摩擦抵抗がかかるが、マイクロクリスタリンワックスの持つチキソトロピー性により、塗り終わりは柔らかくなめらかな塗り心地が得られるとともに、にじみもなかった。
【００４４】
また、シリル化無水ケイ酸を含有した比較例２及び５において、比較例２では、粘性化粧料中のシリル化無水ケイ酸の含有量が相対的に少ないため、なめらかさは良好であったがにじみが目立っていた。また、比較例５では、シリル化無水ケイ酸の含有量が相対的に多くなって油分の量が相対的に少なくなるため、にじみは少ないがフィット感及びなめらかさにおいて良好な結果を得ることができなかった。これに対して、配合例１〜４では上記比較例３及び５と異なり、硬度が低いにも関わらず、なめらかさやフィット感に優れるとともに、にじみもほとんどなく良好な仕上がりを得ることができた。
【００４５】
以上を鑑みて、粘性化粧料(３)にシリル化無水ケイ酸を１．０wt%〜１０．０wt%含有させることにより、分配口(９)から吐出させ易い柔らかさを有する反面、高温下での保存時にも液ダレによる粘性化粧料(３)の漏れの心配がなく、清潔で快適な使用性を持続させることが可能となる。また、唇等の被塗布部に粘性化粧料(３)を塗布した際には、軽くなめらかな塗り心地が得られるとともに、唇全体に均一に塗布することが可能で、しかもにじみのほとんどない、良好な仕上がりを得ることができる。
【００４６】
従って、これら配合例１〜４の如き粘性化粧料(３)を、上記実施例１の如き粘性化粧料容器(１)の収納部(２)内に収納して使用することにより、不使用時の長期の保存でも品質が低下せず、最後までなめらかでフィット性に優れる使用感とにじみのほとんどない美感に優れた仕上がりを得ることができる。
【００４７】
また、表１には配合例１〜４及び比較例１〜６について、各粘性化粧料(３)の硬度回復試験の結果についても示している。この硬度回復試験は、粘性化粧料(３)を吐出する前の硬度、吐出直後の硬度、及び吐出後２時間放置した時の硬度について、２５℃雰囲気下でレオメータにて測定することにより、粘性化粧料(３)の硬度の回復の程度を調べるものである。
【００４８】
表１より、全ての配合例及び比較例において、粘性化粧料(３)の硬度が吐出直後に低下しているが、配合例１〜４は、吐出後２時間放置した時点で、吐出直後よりも硬度が上昇し、特に配合例１及び２では著しい回復が見られた。一方、シリル化無水ケイ酸を含有していない比較例１、３、４及び６では、比較例１及び６は吐出後２時間放置した時点でも硬度が全く回復しておらず、比較例３及び４では硬度の値は若干上昇しているものの、吐出前の硬度と比較すると硬度回復の度合いは著しく低いものであった。
【００４９】
また、シリル化無水ケイ酸を含有した比較例２は硬度の値が若干上昇しているが、粘性化粧料(３)中のシリル化無水ケイ酸の含有量が相対的に少ないため、同じＫ系である配合例１及び２と比較すると回復の度合いは非常に少ないものであった。これらの結果より、シリル化無水ケイ酸を１．０wt%〜１０．０wt%含有させることにより、粘性化粧料(３)の吐出後の硬度がある程度回復することが明らかとなった。
【００５０】
また、比較例５は、粘性化粧料(３)中のシリル化無水ケイ酸の添加量が相対的に多いために硬度が非常に高くなり、吐出直後は硬度が低下したといっても硬度の値は他に比べて高いものであり、粘性化粧料(３)を吐出させにくいものとなっていた。
【００５１】
この結果から、粘性化粧料にシリル化無水ケイ酸を添加しない場合や、添加量が１．０ｗｔ％未満である場合は、吐出後低下した硬度がほとんど回復しないため、吐出後分配口(９)付近で液だれが生じるとともに、この液だれにより粘性化粧料用容器(１)の表面がべたつく等するため、使用者に不快感を与えるとともに、不衛生なものとなる。また、シリル化無水ケイ酸を１０．０ｗｔ％よりも多く添加した場合は、吐出直後も粘性化粧料 (３)の硬度が高いため、粘性化粧料(３)を吐出しにくいものとなる。
【００５２】
一方、粘性化粧料(３)にシリル化無水ケイ酸を１．０wt%〜１０．０wt%含有させることにより、収納部(２)内に保存している時には、外気温が上昇しても分配口(９)から外部に流出しない程度の硬度を保つとともに、吐出時には一時的に硬度が低下するが、吐出直後からある程度まで硬度が回復するため、吐出後分配口(９)付近での液だれが生じにくくなるとともに、被塗布部への塗布後のにじみを抑えることが可能となる。また、シリル化無水ケイ酸の含有量が１．０wt%〜１０．０wt%であれば、粘性化粧料(３)の硬度が著しく上昇することはなく、収納部(２)内に収納した粘性化粧料(３)を円滑に吐出させることができる。従って、使用者は清潔且つ快適に使用することができ、また、被塗布部に塗布した粘性化粧料(３)の持ちが良好なものとなる。
【実施例２】
【００５３】
本発明の実施例２を図５及び図６に於いて説明する。前記の実施例１では、先端壁(４)を、楕円平面状に形成するとともに、収納部(２)の軸方向に対して傾斜させて形成している。これに対して、実施例５では、先端壁(４)を、円形平面状に形成するとともに、収納部(２)の軸方向に対して直角に形成している。そして、この先端壁(４)に、分配口(９)を円弧状に６箇所形成している。また、各分配口(９)は、形成軸を塗布面(５)及び収納部(２)の軸方向に対して傾斜させて形成している。
【００５４】
また、前記６個の分配口(９)を傾斜して形成する際に、図６(ａ)に示す如く、各分配口(９)の収納部(２)側の開口部(２４)を先端壁(４)の中心寄りに配置し、この収納部(２)側の開口部(２４)よりも外方寄りに、塗布面(５)側の開口部(２４)を配置して形成する。そして、６個の分配口(９)を収納部(２)側から塗布面(５)側に、放射状に開口させている。
【００５５】
また、図５に示す如く、粘性化粧料(３)を先端壁(４)方向に押圧するための円柱状の中皿(６)を、収納部(２)内で軸方向に摺動可能に収納部(２)内に配置している。また、中皿(６)は、先端形状が先端壁(４)の内面(２３)の形状に対応するよう、先端壁(４)側の上面(１０)を、先端壁(４)と平行に形成し、中皿(６)を先端壁(４)側に最大限に摺動させた際に、その上面(１０)を先端壁(４)の内面(２３)に当接可能なものとしている。
【００５６】
また、本実施例の中皿(６)と先端壁(４)とは円筒形であるから、実施例１の製品の如き位置合わせが必要ではなく、キー溝(７)や嵌合片(８)を設ける必要がなくなり、簡易で廉価な実施が可能となる。
【００５７】
上記の如く構成した実施例２においても、塗布面(５)に対して形成軸を傾斜させ放射状に複数配置した各分配口(９)から、収納部(２)内の粘性化粧料(３)が、図６(ｂ)に示す如く、塗布面(５)の中心から外方向に広面積で放射状に押し出されるものとなり、塗布面(５)に広面積且つ均等に粘性化粧料(３)を付着させることができる。その結果、唇等の被塗布部に、粘性化粧料(３)を円滑且つ迅速に塗布することができるとともに、粘性化粧料(３)の塗布ムラ等を防止して、仕上がり感の良好な塗布が可能となる。
【００５８】
また、中皿(６)と先端壁(４)とが円筒形であるから、最終的に中皿(６)の上面(１０)を先端壁(４)の内面(２３)に当接させることにより、収納部(２)内に収納した粘性化粧料(３)の全量を、分配口(９)から外部に吐出させることが可能となり、経済的な使用が可能となる。
【実施例３】
【００５９】
また、本発明の実施例３を図７に於いて説明する。本実施例では、先端壁(４)を収納部(２)の軸方向に対して傾斜させて形成し、塗布面(５)を楕円平面状に形成している。そして、先端壁(４)には、塗布面(５)に粘性化粧料(３)を吐出させるための分配口(９)を３箇所、形成軸が塗布面(５)の軸方向に対して傾斜するよう開口している。そして、本実施例では更に、先端壁(４)に、塗布面(５)の先端側の外周半分を軸方向に突設して、外周壁(３０)を形成している。
【００６０】
このように、外周壁(３０)を設けることにより、塗布面(５)上の粘性化粧料(３)が外周壁(３０)によりせき止められ、唇の輪郭をくっきりと描き易いものとなる。また、外周壁(３０)の先端を円弧状に形成することにより、唇への接触感もソフトなものとなる。
【００６１】
尚、上記外周壁(３０)は、０．１mm〜０．２mmの形成高さで突設する。この形成高さが０．１mmより低いと、外周壁(３０)側に滞留する粘性化粧料(３)が少なく、輪郭をくっきりと描く効果が得られない。また、形成高さが０．２mmよりも高いと、外周壁(３０)に滞留する粘性化粧料(３)が多くなって、厚塗りになったり塗りムラを生じたり、不衛生となる。また、外周壁(３０)が唇に突き当たって、接触感が低下したり塗布面(５)を唇に接触しにくくなる。
【実施例４】
【００６２】
次に、中皿(６)の円周方向への回動を防止する機構を設けた他の異なる実施例４を、図８に於いて説明する。この回動防止のため、上記実施例１では、中皿(６)に設けたキー溝(７)と収納部(２)に突設した嵌合片(８)とを嵌合している。これに対して、本実施例では、図８に示す如く、収納部(２)と中皿(６)との軸方向直角の断面形状を楕円又は卵形等の非円形としている。このような構成とする事により、中皿(６)が収納部(２)の内壁面に突き当たる事で、中皿(６)の円周方向への回動を阻止する事ができる。そして、キー溝(７)や嵌合片(８)等を設けないので、部品の成形や組み付けが容易であるとともに、収納部(２)内の気密性も向上させる事が可能となる。
【００６３】
また、前記の各実施例に於いて、塗布面(５)は平均表面粗さＲａを１ｎｍ〜１００μｍとする平滑面で形成する事が好ましい。平均表面粗さＲａを１ｎｍより小さくすると、塗布面(５)を金型等で製造することが技術的に困難となる。また、Ｒａを１００μｍより大きくすると、表面に粘性化粧料(３)が残留し易くなるため、清潔に使用することが困難となり、衛生上問題となる。更に、収納部(２)を透明、半透明とした場合は、平滑面とする事により色や光沢等の粘性化粧料(３)の質感も把握し易くなるとともに、塗り心地も滑らかで良好なものとなる。
【００６４】
尚、上記実施例１〜４及び配合例１〜４では、粘性化粧料(３)としてリップクリームを使用しているが、他の異なる実施例及び配合例に於いてはこれに限らず、口紅用下地、液状の口紅、液状のファンデーション、液状のクリーム等、他の粘性化粧料(３)を使用することも可能である。
【図１】
0004726012.tif 000003
【図２】
0004726012.tif 000004
【図３】
0004726012.tif 000005
【図４】
0004726012.tif 000006
【図５】
0004726012.tif 000007
【図６】
0004726012.tif 000008
【図７】
0004726012.tif 000009
【図８】
0004726012.tif 000010